(57)【要約】【課題】２つのフランジの間の隙間に取付部材を取付け易くし、取付部材の「がたつき」を防止できる保持具を提供する。【解決手段】保持具１は、第１フランジ２と、第２フランジ３と、第１フランジ及び第２フランジの間に取付部材を保持する隙間Ｓを保つ状態で第１及び第２フランジを連結する軸部５とを備え、第１フランジ２は、第２フランジ３に対面する面が、全面において、第１フランジの外縁部から軸部までの隙間の間隔を半径方向に徐々に小さくする斜面１７として形成され、第１フランジ２には、斜面が形成された面に、軸部５から外周縁部に向けて半径方向に延びるリブ１８が、周方向に間隔をおいて複数形成され、各リブは、隙間に保持された取付部材に係合するように第２フランジ３に向けて突出している。【選択図】図５
2010106918.tif 000002
【特許請求の範囲】
【請求項１】
第１フランジと、第２フランジと、前記第１フランジ及び前記第２フランジの間に取付部材を保持する隙間を保つ状態で該第１及び第２フランジの中心において該第１及び第２フランジを連結する軸部とを備え、前記隙間に取付部材が保持される保持具であって、
前記第１フランジは、前記第２フランジに対面する面が、全面において、該第１フランジの外縁部から前記軸部までの前記隙間の間隔を半径方向に徐々に小さくする斜面として形成されており、
更に、前記第１フランジには、前記斜面が形成された面に、前記軸部から前記外周縁部に向けて半径方向に延びるリブが、周方向に間隔をおいて複数形成されており、前記リブは、前記隙間に保持された取付部材に係合するように前記第２フランジに向けて突出している、
ことを特徴とする保持具。
【請求項２】
請求項１に記載の保持具において、前記第１フランジと前記軸部と前記第２フランジとに、それらの中心を貫通するようにブラインドリベットのリベット本体が取付けられ、該リベット本体のスリーブが前記第２フランジから延び出ており、前記ブラインドリベットのマンドレルが前記第１フランジから延び出ており、前記第２フランジには、該第２フランジから延び出た前記リベット本体のスリーブを包囲するキャップが、一体成形されており、前記第１フランジには、該第１フランジから延び出る前記マンドレル側の面に前記リベット本体のフランジが配置されており、前記ブラインドリベットが、当該保持具を被取付部材に取付ける固定具として使用される、ことを特徴とする保持具。
【請求項３】
請求項１に記載の保持具において、前記第２フランジには、前記軸部と反対側の面に、前記軸部の軸方向に突出する錨脚形状のクリップ部が一体成形されており、該クリップ部が、当該保持具を被取付部材に取付ける固定手段として使用される、ことを特徴とする保持具。
【請求項４】
請求項１に記載の保持具において、前記第２フランジ又は該第２フランジに隣接する別のフランジの、前記軸部と反対側の面が、当該保持具を被取付部材に取付ける接着部として使用される、ことを特徴とする保持具。
【請求項５】
請求項１〜４のいずれか１項に記載の保持具において、前記第１フランジの前記斜面の角度が、前記軸部の軸心に直交する前記第１フランジの面に対して、該第１フランジの外縁部から前記軸部に至るまで５度である、ことを特徴とする保持具。
【請求項６】
請求項１〜５のいずれか１項に記載の保持具において、前記リブが、前記第１フランジの周方向に等間隔に４個形成されている、ことを特徴とする保持具。
【発明の詳細な説明】
【技術分野】
【０００１】
本発明は、第１フランジと第２フランジと両フランジを一定の間隔の隙間をおいて連結する軸部とを備え、第１フランジと第２フランジとの間の隙間に取付部材を保持する保持具に関する。
【背景技術】
【０００２】
第１フランジと第２フランジと両フランジを一定の間隔の隙間をおいて連結する軸部とを備え、第１フランジと第２フランジとの間の隙間に取付部材を保持する保持具は、特許文献１〜５に記載のように知られている。
【０００３】
【特許文献１】実開昭５９−１８３５１６号公報
【特許文献２】特開平８−３０３４２６号公報
【特許文献３】特開２００１−３４９３０９号公報
【特許文献４】特開平８−０６１３４８号公報
【特許文献５】特開平９−１７５４４４号公報
【発明の開示】
【発明が解決しようとする課題】
【０００４】
特許文献１に記載の保持具は、上部の第１フランジと下部の第２フランジとの間の隙間に取付部材であるボードを保持し、第２フランジの下方に一体に延びる錨脚クリップを被取付部材であるパネルＰに取付けることによって、取付部材を被取付部材に取付けるのに用いられる。第２フランジには、半径方向に延びる４個のリブが、隙間に保持した取付部材に部分的に食い込むように形成されて、がたつきを少なくしている。特許文献１の保持具において、両フランジの間の隙間の間隔がほぼ一定であるので、その隙間への取付部材の取付けに、一定の抵抗があり、柔軟な取付部材を取付ける場合にはその形状を変形するおそれがあった。
【０００５】
特許文献２には、特許文献１と似ているが、特許文献１のリブが形成されていない保持具が記載されている。この保持具の場合には、リブがないのでがたつきへの対策がとられていない。特許文献３には、両フランジの隙間の間隔Ｓを取付部材の厚さよりやや小さくする保持具が記載されている。この保持具では、隙間への取付部材の取付けに、一定の抵抗があり、柔軟な取付部材を取付ける場合にはその形状を変形するおそれがある。
【０００６】
特許文献４には、図３に、２つのフランジが取付部材を保持する隙間を持つように配置された保持具を、ブラインドリベットで被取付部材に固定できるようにした構成が記載されている。ブラインドリベットは、筒状のスリーブとその一端にフランジが形成されたリベット本体と、拡径頭部がフランジと反対側のスリーブ端部にあってスリーブを貫通して延びるマンドレルとから成り、マンドレルには強く引っ張った場合に破断する部分となる小径部分が形成されている。マンドレル頭部を先頭にして被取付部材の取付穴にフランジが接面するまでスリーブを挿入し、マンドレルがフランジから出た部分を締結工具に把持させてマンドレルの小径部分で破断する程に強く引っ張ると、スリーブの一部が半径方向外方に拡膨するように変形されて、この拡膨変形部分とフランジとにより被取付部材が挟持され固定される。ブラインドリベットは、前記の保持具を被取付部材に固定するのに使用される。特許文献４に記載の保持具には、取付部材のがたつきの防止や取付けの容易性についての構成はない。
【０００７】
特許文献５には、２つのフランジが取付部材を保持する隙間を持つように配置された保持具を、ブラインドリベットで被取付部材に固定する構成が記載されているが、特許文献５に記載の保持具にも、取付部材のがたつきの防止や取付けの容易性についての構成はない。
【０００８】
従って、本発明の目的は、２つのフランジの間の隙間に取付部材を取付け易くするとともに、取付部材のがたつきを防止できる保持具を提供するにある。
【課題を解決するための手段】
【０００９】
上記目的を達成するため、本発明によれば、第１フランジと、第２フランジと、第１フランジ及び第２フランジの間に取付部材を保持する隙間を保つ状態で第１及び第２フランジの中心において第１及び第２フランジを連結する軸部とを備え、隙間に取付部材が保持される保持具であって、第１フランジは、第２フランジに対面する面が、全面において、第１フランジの外縁部から軸部までの隙間の間隔を半径方向に徐々に小さくする斜面として形成されており、更に、第１フランジには、斜面が形成された面に、軸部から外周縁部に向けて半径方向に延びるリブが、周方向に間隔をおいて複数形成されており、リブは、隙間に保持された取付部材に係合するように第２フランジに向けて突出している、ことを特徴とする保持具が提供される。
【００１０】
上記のように、第１フランジは第２フランジとの間に隙間を形成し、その第１フランジには、第２フランジに対面する面の全面が斜面として形成され、更に、その斜面には、第１フランジ軸部から外周縁部に向けて半径方向に延び且つ第２フランジに向けて突出するリブが、周方向に間隔をおいて複数形成されているので、２つのフランジの間の隙間に取付部材を取付け易くするとともに、取付部材のがたつきも確実に防止できる。
【００１１】
上記保持具において、第１フランジと軸部と第２フランジとに、それらの中心を貫通するようにブラインドリベットのリベット本体が取付けられ、リベット本体のスリーブが第２フランジから延び出ており、ブラインドリベットのマンドレルが第１フランジから延び出ており、第２フランジには、第２フランジから延び出たリベット本体のスリーブを包囲するキャップが、一体成形されており、第１フランジには、第１フランジから延び出るマンドレル側の面にリベット本体のフランジが配置されており、ブラインドリベットが、当該保持具を被取付部材に取付ける固定具として使用される。また、第２フランジ又は該第２フランジに隣接する別のフランジの、軸部と反対側の面に、軸部の軸方向に突出する錨脚形状のクリップ部が一体成形されて、クリップ部が、当該保持具を被取付部材に取付ける固定手段として使用される、構成であってもよい。更に、第２フランジは、軸部と反対側の面が、当該保持具を被取付部材に取付ける接着部として使用されてもよい。
【００１２】
上記保持具において、第１フランジの斜面の角度が、軸部の軸心に直交する第１フランジの面に対して、第１フランジの外縁部から前記軸部に至るまで５度である、のが好ましい。また、リブは、第１フランジの周方向に等間隔に４個形成されているのが好ましい。
【発明を実施するための最良の形態】
【００１３】
以下、本発明の第１の実施形態に係る保持具１について、図１〜図５を参照しながら説明する。保持具１は、プラスチック材料で一体成形されている。保持具１は、第１フランジ２と、第２フランジ３と、第１フランジ２及び第２フランジ３の間に取付部材を保持する隙間Ｓを保つ状態で第１フランジ２及び第２フランジ３の中心において第１フランジ２及び第２フランジ３を連結する軸部５とを備え、更に、第２フランジ３の下部には、中空のキャップ６が、軸部５の軸線に沿って延び出るように形成されている。第１の実施形態の保持具１には、被取付部材に固定するため、ブラインドリベット７が組み付けられている。すなわち、ブラインドリベット７は、保持具１を被取付部材に固定するための固定具として用いられる。
【００１４】
ブラインドリベット７は、図３に示すように、筒状のスリーブ９とその一端にフランジ１０が形成されたリベット本体１１と、拡径頭部１３がフランジ１０と反対側のスリーブ９の端部にあってスリーブ９を貫通して延びるマンドレル１４とから成り、マンドレル１４にはスリーブ９の強く引っ張った場合に破断する部分となる小径部分１５が形成されている。ブラインドリベット７は、例えば、特許文献４や５に記載のように公知であり、マンドレル１４の拡径頭部１３を先頭にして被取付部材の取付穴にフランジが接面するまでスリーブ９を挿入し、マンドレル１４がフランジ１０から出た部分を締結工具に把持させてマンドレル１４の小径部分１５で破断する程に強く引っ張ると、スリーブ９の一部が半径方向外方に拡膨するように変形されて、この拡膨変形部分とフランジ１０とにより被取付部材が挟持されて固定される。リベット本体１１とマンドレル１４は金属で形成され、特に、リベット本体１１は変形可能なアルミニウム等の軟質金属で形成されるのが好ましい。かかるブラインドリベット自体はよく知られているので、これ以上の詳細な説明を省略する。
【００１５】
保持具１は、上記のように、第１フランジ２と、被取付部材に固定される第２フランジ３と、第１フランジ２及び第２フランジ３の間に取付部材を保持する隙間Ｓを保つように第１フランジ２及び第２フランジ３を連結する軸部５と、第２フランジ３の下部の中空のキャップ６とを有する。第１フランジ２と軸部５と第２フランジ３の中心を、ブラインドリベット７のリベット本体１１のスリーブ９が貫通しており、第２フランジ３から延び出たスリーブ９及びマンドレル１４の拡径頭部１３をキャップ６が包囲している。なお、キャップ６は、必須ではないが、被取付部材への固定において、被取付部材の取付穴の密封効果を高く維持する。
【００１６】
保持具１の第１フランジ２は、第２フランジ３に対面する面１７が、全面において、第１フランジ２の外縁部から軸部５までの隙間の間隔を半径方向に徐々に小さくする斜面として形成されている。図示の実施形態において、第１フランジ２の斜面１７の角度αは、図５に図示のように、軸部５の軸心に直交する第１フランジ２の面Ｐ１に対して、第１フランジ２の外縁部から軸部５に至るまで、５度に選択される。この角度αによって、第１フランジ２の取付部材の保持機能を低下することなしに、取付部材を隙間Ｓへ誘導するのを容易にする。すなわち、被取付部材に固定される第２フランジ３に対向した、第１フランジ２の内面が、角度αの斜面１７として形成されているので、作業者には取付部材を隙間Ｓへ誘導するのが容易になる。なお、角度αは、おおよそ５度に設定すると好ましい結果が得られた。図示しないが、取付部材には、隙間Ｓに保持されるように、隙間Ｓに対応する厚さを有し、隙間Ｓに挿入したときに軸部５を受入れるＵ字形状の切込みが形成される。
【００１７】
更に、第１フランジ２には、斜面１７が形成された面に、軸部５から外周縁部に向けて半径方向に延びるリブ１８が、周方向に間隔をおいて複数形成されいる。図示の例では、リブ１８は、第１フランジ２の周方向に等間隔に４個形成されている。各リブ１８は、第１フランジ２と第２フランジ３の隙間Ｓに保持された取付部材に係合するように第２フランジ３に向けて突出している。図示の例では、リブ１８は、取付部材に食い込む、横断面が三角形のリブとして形成されているが、取付部材に係合するのであれば、台形の横断面や矩形の横断面等、その他の形状であってもよい。このリブ１８によって、隙間Ｓに保持した取付部材が隙間Ｓに確実に保持されて、取付部材の保持を堅固にするとともに、取付部材が隙間Ｓの中でがたつくのを阻止できる。なお、リブの形状や高さによって、取付部材への係合強さを調整することができる。リブ１８の高さや形状を取付部材への食い込みを僅かにするように形成しても、がたつきの防止効果は高く維持できる。これによって、取付部材を隙間Ｓへ挿入するのを容易にできるとともに、がたつきを防止できる。
【００１８】
図６には、ブラインドリベット７を被取付部材１９への固定手段として用いて、被取付部材１９へ固定された保持具１が示されている。ブラインドリベット７によって保持具１を被取付部材１９に固定するには、図３に示すマンドレル１４の拡径頭部１３を包囲するキャップ６を先頭にして被取付部材１９の取付穴２１に第２フランジ３が被取付部材１９に接面するまでキャップ６スリーブ９を挿入し、マンドレル１４がフランジ１０から出た部分を締結工具に把持させ、マンドレル１４をその小径部分１５で破断する程に強く引っ張る。この強い引っ張によって、スリーブ９の一部が半径方向外方に拡膨するように変形してキャップ６の対応部分を拡膨させて、スリーブ９の拡膨変形部分（キャップ６の拡膨変形部分２２）とフランジ１０（第１フランジ２及び第２フランジ３を含む）との間に被取付部材１９が強く挟持され、これによって、保持具１が被取付部材１９に固定される。次に、その固定状態において、Ｕ字形状の切込みを持つ取付部材（図示せず）が、第１フランジ２と第２フランジ３の間の隙間に挿入されて、第１フランジ２の内面に形成されたリブ１８が、取付部材の第１フランジ２に対向する面に食い込むように係合し、付部材が隙間Ｓに確実に保持され、取付部材の保持を堅固にするとともに、取付部材が隙間Ｓの中でがたつくのを阻止できる。
【００１９】
図７は、本発明の第２実施形態に係る保持具２３を示している。保持具２３は、第１フランジ２５と第２フランジ２６と隙間Ｓをあけて両フランジ２５及び２６を連結する軸部２７とを有する点で、第１実施形態に係る保持具１と同じであり、第１フランジ２５は、第２フランジ２６に対面する面が、全面において、第１フランジの外縁部から軸部２７までの隙間Ｓの間隔を半径方向に徐々に小さくする斜面として形成されており、更に、第１フランジ２５には、斜面が形成された面に、軸部２７から外周縁部に向けて半径方向に延びるリブ２９が、周方向に間隔をおいて複数（４個）形成されており、各リブ２９は、隙間Ｓに保持された取付部材に係合するように第２フランジ２６に向けて突出している点において、第１実施形態に係る保持具１と同じである。従って、この実施形態においても、２つのフランジ２５及び２６の間の隙間Ｓに取付部材を取付け易くするとともに、取付部材のがたつきも確実に防止できる。
【００２０】
保持具２３においては、第２フランジ２６の軸部２７と反対側の面（図７の下面）に、軸部２７の軸方向に突出する錨脚形状のクリップ部３０が一体成形されている。クリップ部３０が、保持具２３を被取付部材１９Ａに取付ける固定手段として使用される。クリップ部３０は、第２フランジ２６の下方に形成されたクリップフランジ３１とクリップフランジ３１から下方に延び且つ更にクリップフランジ側に折返す形状で半径方向外方に弾性的に張り出す一対の係止脚３３とを有する。係止脚３３が被取付部材１９Ａの取付穴２１Ａにクリップ部３０を挿入されると係止脚３１の先端が取付穴の縁部に係止してクリップフランジと協働して被取付部材１９Ａを挟持し、これによって、保持具２３が被取付部材１９Ａに固定される。
【００２１】
図８は、本発明の第３実施形態に係る保持具３４を示している。保持具３４は、第２実施形態に係る保持具２３と殆ど同じであり、異なるのは、クリップ部３０の主要部である係止脚が形成されていない点である。保持具３４において、第２フランジ２６に隣接するクリップフランジ３１の、軸部２７と反対側の面が、保持具３４を被取付部材１９Ｂに取付ける接着部（接着剤の塗布面）として使用される。なお、クリップフランジ３１は、必須ではなく、なくてもよい。かかるクリップフランジ３１がない場合、第２フランジ２６の、軸部２７と反対側の面が、保持具３１を被取付部材１９Ｂに取付ける接着部として用いられる。
【図面の簡単な説明】
【００２２】
【図１】本発明の第１実施形態に係る保持具の斜視図である。
【図２】図１の保持具の正面図である。
【図３】図４の保持具のＡ−Ａ線断面図である。
【図４】図２の保持具のＢ−Ｂ線断面図である。
【図５】図３の保持具の円Ｃの部分の拡大図である。
【図６】図１の保持具を被取付部材に固定した状態の図である。
【図７】本発明の第２実施形態に係る保持具を被取付部材に固定した状態を示す正面図である。
【図８】本発明の第３実施形態に係る保持具を被取付部材に固定した状態を示す正面図である。
【符号の説明】
【００２３】
１  保持具
２  第１フランジ
３  第２フランジ
５  軸部
６  キャップ
７  ブラインドリベット
９  スリーブ
１０  リベット本体のフランジ
１１  リベット本体
１３  拡径頭部
１４  マンドレル
１５  小径部分
１７  斜面
１８  リブ
１９：１９Ａ：１９Ｂ  被取付部材
２１：２１Ａ  取付穴
２２  拡径変形部分
２３  第２実施形態に係る保持具
２５  第１フランジ
２６  第２フランジ
２７  軸部
２９  リブ
３０  クリップ部
３１  クリップフランジ
３３  係止脚
３４  第３実施形態に係る保持具
【図１】
2010106918.tif 000003
【図２】
2010106918.tif 000004
【図３】
2010106918.tif 000005
【図４】
2010106918.tif 000006
【図５】
2010106918.tif 000007
【図６】
2010106918.tif 000008
【図７】
2010106918.tif 000009
【図８】
2010106918.tif 000010